(57)【要約】【課題】塗布液の吐き出し量が多く、しかも塗布部に適量の塗布液を保持することのできるペン型液体塗布具を提供する。【解決手段】内部に塗布液を保持する筒状本体の先端部に、多数本のブラシ毛（第１および第２ブラシ毛２０，２１）で構成される筆先部６を設け、この筆先部６が、その外周面に突起２１ａがブラシ毛の軸心方向に沿って筋状に突設された第２ブラシ毛２１を有している。【選択図】図１０
2006271690.tif 000002
【特許請求の範囲】
【請求項１】
内部に塗布液を保持する筒状本体の先端部に、多数本のブラシ毛で構成される塗布部を設け、この塗布部が、その外周面に突起がブラシ毛の軸心方向に沿って筋状に突設されたブラシ毛を有していることを特徴とするペン型液体塗布具。
【請求項２】
上記塗布部が、横断面形状略円形のブラシ毛を有している請求項１記載のペン型液体塗布具。
【請求項３】
上記突起が複数突設され、これら各突起がそれぞれ相対峙するように配設され、かつ上記ブラシ毛の外周面から先端側に向かって窄まる先窄まり状に形成されている請求項１または２記載のペン型液体塗布具。
【発明の詳細な説明】
【技術分野】
【０００１】
本発明は、アイブロー等の液体化粧料を塗布する液体化粧料塗布具等として用いられるペン型液体塗布具に関するものである。
【背景技術】
【０００２】
従来から、アイブロー等の液体化粧料を塗布するために、ペン型の液体化粧料塗布具が用いられている。このような塗布具として、図１４に示すような化粧用筆ペンが提案されている。この化粧用筆ペンは、中綿体３１を収容した筒状本体３２と、この筒状本体３２の開口側先端に嵌合したテーパー筒３３とを備え、このテーパー筒３３の貫挿孔に、多孔質のゴム状弾性体からなる筆ペン状塗布体３４を貫挿したものであり、この筆ペン状塗布体３４の後端を中綿体３１に突き刺すことにより、この中綿体３１に含浸させた液体化粧料を筆ペン状塗布体３４に吸収してその先端へ浸出するようにしている（例えば、特許文献１参照）。また、上記筆ペン状塗布体３４として、多数本のブラシ毛（これら各ブラシ毛は、通常、横断面形状略円形に形成されている）で構成された塗布部を用いることも行われている。
【特許文献１】実開平５−２１８１０号公報
【発明の開示】
【発明が解決しようとする課題】
【０００３】
しかしながら、多数本のブラシ毛で構成された塗布部を用いたものでは、この塗布部において、横断面形状略円形に形成されたブラシ毛が密集しているため、各ブラシ毛間に生じる隙間が狭すぎて液体化粧料の通過量（すなわち、吐き出し量）が少なくなり、使用を続けるうちに、塗布部の先端がかすれるという問題がある。
【０００４】
本発明は、このような事情に鑑みなされたもので、塗布液の吐き出し量が多く、しかも塗布部に適量の塗布液を保持することのできるペン型液体塗布具の提供をその目的とする。
【課題を解決するための手段】
【０００５】
上記の目的を達成するため、本発明のペン型液体塗布具は、内部に塗布液を保持する筒状本体の先端部に、多数本のブラシ毛で構成される塗布部を設け、この塗布部が、その外周面に突起がブラシ毛の軸心方向に沿って筋状に突設されたブラシ毛を有しているという構成をとる。
【発明の効果】
【０００６】
すなわち、本発明のペン型液体塗布具は、多数本のブラシ毛で構成される塗布部が、その外周面に突起がブラシ毛の軸心方向に沿って筋状に突設されたブラシ毛を有している。このように、本発明のペン型液体塗布具では、塗布部を構成する多数本のブラシ毛の一部もしくは全部が、その外周面に突起がブラシ毛の軸心方向に沿って筋状に突設されたブラシ毛からなっているため、隣接するブラシ毛同士間に、上記軸心方向に沿って延びる広い隙間が生じ、上記筒状本体の内部から導出されたのち塗布部に導入された塗布液が、上記隙間を通って塗布部の先端にまで移動しやすくなり、これにより、塗布液の吐き出し量が多くなって、塗布部の先端がかすれることがなくなる。しかも、上記隙間を通る塗布液には、毛細管現象と表面張力とが作用して塗布液を吐き出しすぎることがなく、上記塗布部に適量の塗布液を保持することができる。なお、本発明において、筒状本体の内部に塗布液を保持する手段としては、筒状本体の内部に、塗布液を含浸させた中綿を収容することや、筒状本体の内部空間に塗布液を溜めること等があげられる。
【０００７】
また、上記塗布部が、横断面形状略円形のブラシ毛を有していると、塗布部を構成する多数本のブラシ毛が、その外周面に突起がブラシ毛の軸心方向に沿って筋状に突設されたブラシ毛と、こしの強い横断面形状略円形のブラシ毛とからなる混毛で構成されるため、上記塗布部のこしが強くなり、塗布感触が向上する。
【０００８】
また、上記突起が複数突設され、これら各突起がそれぞれ相対峙するように配設され、かつ上記ブラシ毛の外周面から先端側に向かって窄まる先窄まり状に形成されていると、上記各突起間に形成される凹部により、隣接するブラシ毛同士間に、上記軸心方向に沿って延びる隙間が確実に設けられることになり、塗布液の吐き出し量が確実に多くなるとともに、適量の塗布液が確実に保持される。
【発明を実施するための最良の形態】
【０００９】
つぎに、本発明の実施の形態を図面にもとづいて詳しく説明する。
【００１０】
図１および図２は本発明のペン型液体塗布具の一実施の形態を示している。この実施の形態では、ペン型液体塗布具として、アイブロー等の液体化粧料（塗布液）を塗布する中綿式のペン型液体化粧料塗布具が用いられている。これらの図において、１は円筒形状に形成された合成樹脂製の筒状本体であり、２は上記筒状本体１の一端開口部（奥端側開口部）を栓する合成樹脂製の尾栓である。この尾栓２は、栓部１１と、この栓部１１から突設される円筒状係合部１２とを備えており（図３参照）、この円筒状係合部１２が上記筒状本体１の一端部（奥端部）に内嵌している。
【００１１】
３は上記筒状本体１の内周部（のうち、上記一端部よりやや小径に形成された中央小径部分）に周方向に回り止め状に固定される円筒状スペーサーであり、図４および図５に示すように、その外周面にその軸心方向に沿って４本の係合凸条３ａが突設されており、これら各係合凸条３ａが、上記筒状本体１の内周面に形成される４本の係合溝部１３（図３参照）に係合している。４は上記筒状本体１の内周部の中央部分に収容される吸蔵体であり、円柱状に形成された中綿１５と、この中綿１５の外周面を取り囲む円筒形状のフィルム状外皮１６とからなっており（図３参照）、上記中綿１５に液体化粧料が含浸されている。
【００１２】
５は略円筒形状に形成された合成樹脂製の保持部であり、図６〜図８に示すように、その外周面には、上記筒状本体１の先端小径部１７（図３参照）に内嵌状に係合する円筒状係合部１８と、先端側に向かって先窄まり状に形成される円錐台状部分１９とが形成されている。上記円筒状係合部１８には、その外周面にその軸心方向に沿って４本の係合溝部１８ａが形成されており、これら各係合溝部１８ａが、上記筒状本体１の先端小径部１７の内周面に形成される４本の係合凸条（図示せず）に係合している。また、上記保持部５の内周面は、上記先端小径部１７に対応する部分が、先端側に向かって窄まる円錐台形状に形成されている（図６参照）。
【００１３】
６は上記保持部５に内嵌状に固定される筆先部（塗布部）であり、多数本のブラシ毛２０，２１で構成されている。上記筆先部６（すなわち、上記各ブラシ毛２０，２１）の一部は、従来用いられていた横断面形状略円形の第１ブラシ毛２０（図１０参照）で構成されており、残部は第２ブラシ毛２１（その外周面に８条の突起２１ａが第２ブラシ毛２１の軸心方向に沿って、かつ第２ブラシ毛２１の全長にわたって筋状に突設されている第２ブラシ毛２１）（図９参照）で構成されている。この実施の形態では、上記筆先部６は、５０％（本数）の第１ブラシ毛２０と５０％（本数）の第２ブラシ毛２１とで構成されている。また、上記各突起２１ａはそれぞれ相対峙する状態で形成されており、相対峙する一対の突起２１ａで挟まれた部分に、なだらかな湾曲面を有する凹部２２が形成されている。
【００１４】
７は中継芯であり、上記中綿１５に挿入される略円柱形状の第１棒状部２３と、上記筆先部６に挿入される（第１棒状部２３より小径の）略円柱形状の第２棒状部２４とを備えており、上記中綿１５に含浸された液体化粧料を第１棒状部２３に吸収して第２棒状部２４に移行させたのちこの第２棒状部２４から筆先部６に供給する作用をする。８は上記筒状本体１の他端部（先端部）を蓋する合成樹脂製のキャップ（図１１参照）であり、上記筒状本体１の先端小径部１７に外嵌状に係合している。図１１において、８ａは上記キャップの内周面に円環状に突設された２条の係合突部（図３では、図示せず）であり、上記先端小径部１７（図３参照）の外周面に着脱自在に係合している。
【００１５】
上記の構成において、使用時には、キャップ８を筒状本体１から取り外し、筆先部６の先端に保持されている液体化粧料を、顔面等の所望の部分に塗布して化粧をする。このとき、上記筒状本体１内の吸蔵体４の中綿１５に含浸された液体化粧料は、中継芯７を介して筆先部６に吸収され、この筆先部６を構成する多数本のブラシ毛２０，２１の隙間や各凹部２２を通って、筆先部６の先端に移行し、筆先部６の先端に供給され補充される。
【００１６】
上記のように、この実施の形態では、筆先部６を構成する多数本のブラシ毛２０，２１の一部が、横断面形状略円形の第１ブラシ毛２０で構成されているとともに、残部が、その外周面に８条の突起２１ａが突設された第２ブラシ毛２１で構成されているため、上記各突起２１ａ間に形成される凹部２２等により、隣接するブラシ毛２０，２１同士間に隙間が生じ、上記液体化粧料が筆先部６の先端まで移動しやすくなり、液体化粧料の吐き出し量が多くなって、筆先部６の先端がかすれることがなくなる。しかも、上記各凹部２２を通る塗布液には、毛細管現象と表面張力とが作用して液体化粧料を吐き出しすぎることがなく、上記筆先部６に適量の塗布液が保持される。
【００１７】
図１２は本発明のペン型液体塗布具の他の実施の形態に用いる筆先部６を示している。この実施の形態では、上記筆先部６が上記第２ブラシ毛２１のみで構成されている。それ以外の部分は上記実施の形態と同様である。また、この実施の形態でも、上記実施の形態と同様の作用・効果を奏する。
【００１８】
なお、上記実施の形態では、ペン型液体塗布具として、中綿式のペン型液体化粧料塗布具を用いているが、これに限定するものではなく、筆記用インキ等の塗布液を塗布する筆記具等を用いてもよい。また、上記実施の形態では、筆先部６を、５０％（本数）の第１ブラシ毛２０と５０％（本数）の第２ブラシ毛２１とで構成しているが、第１ブラシ毛２０の本数：０〜５０％、第２ブラシ毛２１の本数：１００〜５０％（本数）の範囲内であればよい。そして、使用目的により、液体化粧料の吐き出し量，塗布感触等を適宜調整することで、最適な本数を選択することができる。
【００１９】
また、上記実施の形態では、第２ブラシ毛２１の外周面に８条の突起２１ａを突設しているが、１条の突起２１ａだけを突設してもよいし、複数条の突起２１ａを突設してもよい。また、第１ブラシ毛２０として、横断面形状略多角形や横断面形状略長円等のものを用いてもよい。また、上記筆先部６は、その先端が鋭角となるＶ字状（すなわち、略円錐形状）に形成されているが（図３参照）、このような筆先部６の形成方法としては、図１３に示すように、長さの異なるブラシ毛２０，２１を束ねる方法や、長さの同じブラシ毛２０，２１を束ねる方法（この方法では、筆先部６の先端側ほどブラシ毛２０，２１の密度が濃くなる）等があるが、その方法は限定されない。
【００２０】
また、上記実施の形態において、中綿１５，中継芯７としては、アクリル繊維等の各種合成繊維，各種フェルト，木綿等の繊維収束体が用いられ、第１および第２ブラシ毛２０，２１としては、各種合成繊維，豚毛等の各種のブラシ繊維が用いられる。
【図面の簡単な説明】
【００２１】
【図１】本発明のペン型液体塗布具の一実施の形態を示す正面図である。
【図２】上記ペン型液体塗布具の分解正面図である。
【図３】上記ペン型液体塗布具の要部の断面図である。
【図４】円筒状スペーサーの断面図である。
【図５】上記円筒状スペーサーの側面図である。
【図６】保持部の断面図である。
【図７】上記保持部の平面図である。
【図８】上記保持部の側面図である。
【図９】第２ブラシ毛の断面図である。
【図１０】筆先部の説明図である。
【図１１】キャップの断面図である。
【図１２】本発明のペン型液体塗布具の他の実施の形態に用いる筆先部の説明図である。
【図１３】筆先部の形成方法を示す説明図である。
【図１４】従来例を示す断面図である。
【符号の説明】
【００２２】
６  筆先部
２０  第１ブラシ毛
２１  第２ブラシ毛
２１ａ  突起
【図１】
2006271690.tif 000003
【図２】
2006271690.tif 000004
【図３】
2006271690.tif 000005
【図４】
2006271690.tif 000006
【図５】
2006271690.tif 000007
【図６】
2006271690.tif 000008
【図７】
2006271690.tif 000009
【図８】
2006271690.tif 000010
【図９】
2006271690.tif 000011
【図１０】
2006271690.tif 000012
【図１１】
2006271690.tif 000013
【図１２】
2006271690.tif 000014
【図１３】
2006271690.tif 000015
【図１４】
2006271690.tif 000016